(57)【要約】【課題】複数の冷媒回路を備えた空気調和機においても、各室外機制御装置および各室内機制御装置のアドレス設定を自動的に行うことの可能な空気調和機の提供を目的とする。【解決手段】空気調和機は、複数の室外機２，５と、複数の各室外機２，５にそれぞれ接続された一又は複数の室内機３，４，６と、各室外機２，５及び各室内機３，４，６を集中管理する集中制御装置１とを備えた空気調和機において、集中管理装置は、各室外機２，５に接続される室内機３，４，６の台数を認識する室内機接続台数認識手段３７と、室内機接続台数認識手段３７により認識された室内機接続台数に基づいて、各室外機２，５及び各室内機３，４、６のアドレスを算出するアドレス算出手段３５と、アドレス設定手段３６とを備えた構成にしてある。【選択図】図１
2008249269.tif 000002
【特許請求の範囲】
【請求項１】
複数の室外機と、前記複数の各室外機にそれぞれ接続された一又は複数の室内機と、各室外機及び各室内機を集中管理する集中制御装置とを備えた空気調和機において、前記集中管理装置は、前記各室外機に接続される前記室内機の台数を認識する室内機接続台数認識手段と、前記室内機接続台数認識手段により認識された室内機接続台数に基づいて、前記各室外機及び各室内機のアドレスを算出するアドレス算出手段と、前記アドレス算出手段により算出した前記各室外機及び各室内機のアドレスを設定するアドレス設定手段とを備えたことを特徴とする空気調和機。
【請求項２】
室外機の運転を制御するとともに、集中管理装置とデータの送受信を行う室外機制御装置が、前記室外機の冷暖房能力値を設定するための冷暖房能力設定手段を備え、室内機接続台数認識手段が、冷暖房能力設定手段で設定された室外機の冷暖房能力値に基づいて、室内機接続台数を認識することを特徴とする請求項１に記載の空気調和機。
【請求項３】
同一冷媒回路を構成する室外機及び室内機内にそれぞれ備える室外機制御装置と、室内機制御装置とが、伝送線により接続されるとともに、前記室外機制御装置が、前記室内機制御装置に前記伝送線を介して直流電流を供給する直流電源回路と、前記伝送線を流れる直流電流値を検出する電流センサーとを備え、且つ、前記室内機制御装置が前記伝送線上に接続されている負荷抵抗を備え、室内機接続台数認識手段が、前記直流電源回路により直流電流を前記伝送線に流した際に検出される直流電流値に基づいて、室内機接続台数を認識することを特徴とする請求項１又は請求項２に記載の空気調和機。
【請求項４】
室内機接続台数認識手段が、手動により入力された室内機の接続台数に基づいて、各室外機に接続される室内機の接続台数を認識することを特徴とする請求項１乃至請求項３のいずれか一項に記載の空気調和機。
【発明の詳細な説明】
【技術分野】
【０００１】
本発明は、空気調和機に係り、更に詳しくは、複数の室外機を備えた空気調和機のアドレス設定に関するものである。
【背景技術】
【０００２】
一台の室外機に複数の室内機が接続されてなるマルチ型空気調和機において、自動的にアドレス設定を行う技術が下記特許文献１に開示されている。特許文献１に記載の空気調和機では、室外機が一台であるために、室外機制御装置のアドレスを１つに限定し、この室外機制御装置からの通信によって室内機制御装置のアドレスを自動的に設定している。
【０００３】
【特許文献１】特開平６−３１９１７６号公報
【発明の開示】
【発明が解決しようとする課題】
【０００４】
これに対し、複数の室外機に、一または複数の室内機がそれぞれ接続されてなる複数の冷媒回路を備えた空気調和機については、集中管理装置で全室外機及び全室内機を統括管理する。そして、このような複数の冷媒回路を備える空気調和機を設置する際には、全室外機及び全室内機にそれぞれ備えた室外機制御装置及び室内機制御装置に、異なるアドレスの設定を行う必要がある。
【０００５】
このような複数の冷媒回路を備える空気調和機においては、従来のアドレス設定方法を用いることはできず、手動によりアドレス設定を行っている。
【０００６】
本発明は上記問題を解決するためになされたもので、複数の冷媒回路を備えた空気調和機においても、各室外機制御装置および各室内機制御装置のアドレス設定を自動的に行うことの可能な空気調和機の提供を目的とする。
【課題を解決するための手段】
【０００７】
上記目的を達成するために、本発明に係る空気調和機は、複数の室外機と、前記複数の各室外機にそれぞれ接続された一又は複数の室内機と、各室外機及び各室内機を集中管理する集中制御装置とを備えた空気調和機において、前記集中管理装置は、前記各室外機に接続される前記室内機の台数を認識する室内機接続台数認識手段と、前記室内機接続台数認識手段により認識された室内機接続台数に基づいて、前記各室外機及び各室内機のアドレスを算出するアドレス算出手段と、前記アドレス算出手段により算出した前記各室外機及び各室内機のアドレスを設定するアドレス設定手段とを備えた構成にしてある。
【発明の効果】
【０００８】
本発明では、集中管理装置に備えた室内機接続台数認識手段において一の室外機に接続されている室内機の台数を認識し、アドレス算出手段において室内機接続台数に基づいて各室外機及び各室内機のアドレスを算出し、アドレス設定手段において各室外機及び各室内機のアドレスを設定するので、複数の冷媒回路を備えた空気調和機おいても、各室外機制御装置及び各室内機制御装置のアドレス設定を自動で行うことができる。
【発明を実施するための最良の形態】
【０００９】
実施の形態１．
図１は、本発明の一実施形態に係る空気調和機の全体構成を示す図、図２は集中管理装置１の構成を示すブロック図、図３は室外機制御装置２０及び室内機制御装置３０の構成を示すブロック図、図４は空気調和機の集中管理装置１、室外機制御装置２０及び室内機制御装置３０，４０のフローチャートである。
【００１０】
図１において、本発明に係る空気調和機は、室外機２，５と、室外機２と冷媒配管（図示せず）により接続された室内機３，４と、室外機５に冷媒配管（図示せず）を介して接続された室内機６と、室外機２，５にそれぞれ設けられた室外機制御装置２０，５０と、室外機制御装置２０に伝送線８を介してそれぞれ接続された室内機制御装置３０，４０と、室外機制御装置５０に伝送線９を介して接続された室内機制御装置６０と、伝送線７を介して各室外機制御装置２０，５０と通信し、空気調和機を集中制御する集中管理装置１とを備えている。
【００１１】
尚、図示を省略したが、本実施形態に係る空気調和機は、上記した冷媒回路以外の冷媒回路を有してもよい。この場合には、集中管理装置１は、室外機２，５以外の他の室外機に備えた室外機制御装置と伝送線７を介して通信接続されることとなる。また、室外機２には、室内機３，４以外にも同一冷媒回路を構成する他の室内機が配管接続されていてもよい。この場合、室外機制御装置２０は、他の室内機に備えた室内機制御装置とも伝送線８を介して通信接続される。さらに、室外機５には、室外機６以外にも同一冷媒回路を構成する他の室内機が配管接続され、他の室内機に備えた室内機制御装置と伝送線９により通信接続される構成としてもよい。空気調和機を構成する他の室外機についても同様である。
【００１２】
図２に示すように、集中管理装置１は、マイコン１１と、伝送回路１２と、メモリ１３を備えている。マイコン１１は、室内機接続台数認識手段３７と、アドレス算出手段３５と、室外機アドレス設定手段３６とを備えている。
【００１３】
室内機接続台数認識手段３７は、伝送回路１２を通じ室外機制御装置２０，５０から送信されたデータに基づいて、各室外機２，５にそれぞれ接続可能な室内機の台数を認識し、この台数を各室外機２，５に接続されている室内機３，４，６の台数であるとみなして認識する。アドレス算出手段３５は、室内機接続台数認識手段３７により認識された各室外機２，５の室内機接続台数に基づいて、各室外機制御装置２０，５０のアドレスを算出する。また、室外機アドレス設定手段４０は、アドレス算出手段３５によって算出された各室外機制御装置２０，５０のアドレスを、伝送回路１２を通じて室外機制御装置２０，５０に設定する。
【００１４】
伝送回路１２は、集中管理装置１と室外機制御装置２０，５０との間での伝送線７を介して送受信を行うデータを、伝送信号に変換する。
【００１５】
図３に示すように、室外機制御装置２０は、スイッチ回路２４と、伝送回路２２と、スイッチ設定回路２３と、マイコン２１とを備えている。
【００１６】
スイッチ回路２４は、伝送線７を介した通信の遮断または導通を行うことにより、室外機制御装置２０と集中管理装置１とのデータの送受信の中断又は再開を行う。また、伝送線８を介した通信の遮断または導通を行うことにより、各室内機制御装置３０，４０とのデータの送受信の中断又は再開を行う。
【００１７】
伝送回路２２は、集中管理装置１及び各室内機制御装置３０，４０と送受信を行うためのデータを、伝送信号に変換する。
【００１８】
スイッチ設定回路２３は、その室外機２に接続可能な室内機の台数を、その室外機２の冷暖房能力に応じて予め設定されているものである。例えば、表１に示すように、一の室外機の冷暖房能力が１４０ｋｗの場合、この室外機に接続可能な室内機の台数は５台であり、この場合、通信用データコードとして、能力コード＝５を、その室外機に備えた室外機制御装置のスイッチ設定回路に設定する。
【００１９】
【表１】
2008249269.tif 000003
【００２０】
マイコン２１は、伝送回路２２を通じて集中管理装置１および室内機制御装置３０，４０と通信を行い、スイッチ設定回路２３から冷暖房能力の設定値を読み込み、またスイッチ回路２４による伝送線７，８を介する通信の遮断または導通を制御する。以上の構成は、室外機制御装置５０においても同様とする。
【００２１】
室内機制御装置３０は、伝送回路３２と、マイコン３１とを備えている。伝送回路３２は、伝送線８を介して室外機制御装置２０と送受信を行うためのデータを、伝送信号に変換する。マイコン３１は、伝送回路３２により室外機制御装置２０との間でデータの送受信を行うよう制御する。以上の構成は、室内機制御装置４０，６０においても同様とする。
【００２２】
次に、本実施形態の動作を図４に基づいて説明する。図４は集中管理装置１、室外機制御装置２０、室内機制御装置３０及び室内機制御装置４０の動作を示すフローチャートである。同図において、室外機制御装置２０は電源投入後、まずステップ２０１で、マイコン２１は、初期の通信用に自己のアドレスを１００番地とし、ステップ２０２で、スイッチ設定回路２３より室外機２自らの冷暖房能力に応じた能力コードをマイコン２１が自動で読み込み、更に集中管理装置１から受信があるまで待機する。
【００２３】
集中管理装置１は電源投入後、初期の通信用に自己アドレスを１００番地としている全て室外機制御装置２０，５０に対して、５１〜９９番地の仮アドレスを設定するための送信を行う。これにより、各室外機制御装置２０，５０に順次５１〜９９番地の仮アドレスを設定する（ステップ１０１）。
【００２４】
仮アドレスの設定方法については特開平6−319176号公報にて周知されているため説明を省略する。
【００２５】
室外機制御装置２０は、上記ステップ１０１により集中管理装置１から送信された５１〜９９番地のうちいずれかの仮アドレス値を受信すると、室外機制御装置２０が仮アドレス値を受信したことに対する応答を集中管理装置１へ送信する（ステップ２０３）。また、受信した仮アドレスを一時的に自己アドレスとして設定する（ステップ２０４）。
【００２６】
集中管理装置１は、仮アドレス値を送信した全ての室外機２から送信された仮アドレス設定に対する応答があったことを確認する（ステップ１０２）。その後、能力コードを集中管理装置１に知らせるよう、全ての室外機制御装置２０に対して指示する送信を行う（ステップ１０３）。
【００２７】
室外機制御装置２０は、集中管理装置１からステップ１０３により送信された指示を受信すると、ステップ２０２において予めスイッチ設定回路２３より読み込んでいた能力コードを集中管理装置１へ送信する（ステップ２０５）。
【００２８】
集中管理装置１は、上記ステップ２０５において室外機制御装置２０から送信された各室外機２の能力コードを受信し（ステップ１０４）、メモリ１３に記憶する。
【００２９】
集中管理装置１は、室内機接続台数認識手段３７により、メモリ１３に記憶した室外機２の能力コードと、予めメモリ１３に記憶していた、例えば上記表１に示すような対応表とに基づいて、その能力コードを送信してきた室外機２に接続可能な室内機の台数を、実際に接続されている室内機の台数として認識する（ステップ１０５）。
【００３０】
そして、アドレス算出手段３５により、ステップ１０４で能力コードの応答のあった室外機制御装置２０に接続される室内機制御装置３０，４０のアドレスの範囲を算出する（ステップ１０６）。
【００３１】
アドレス算出手段３５により算出した室内機制御装置３０，４０のアドレス範囲に基づいて、室外機制御装置２０の正アドレスを算出し、室外機制御装置２０にアドレス設定コマンドを送信して正アドレスを設定する（ステップ１０７）。
【００３２】
室外機制御装置２０は上記ステップ１０７により集中管理装置１から送信された正アドレスを受信すると、受信した正アドレスを自己の正アドレスとして設定する（ステップ２０６）。
【００３３】
集中管理装置１は以上に述べた室外機制御装置２０に対する本アドレスの設定処理を空気調和機の全て室外機２，５内の室外機制御装置２０，５０に対して行う。
【００３４】
例えば、室外機２、室外機５の室外機制御装置２０、５０の仮アドレスをそれぞれ５１番地，５２番地とし、冷暖房能力がそれぞれ２８０ｋｗ，５６０ｋｗであるために各室外機２，５の接続室内機台数がそれぞれ１０台，２０台であった場合（表１参照）を考えるとする。この場合には、室外機制御装置２０に接続される室内機制御装置３０，４０のアドレス範囲は１〜１０番地となり、室外機２内の室外機制御装置２０の正アドレスは５１番地となる。
【００３５】
また、室外機制御装置５０に接続される室内機制御装置６０のアドレス範囲は１１〜３０番地となり、室外機制御装置５０の正アドレスは６１番地となる。尚、本実施形態では室外機制御装置のアドレス＝−５０番地をその室外機制御装置に接続される最も小さい室内機制御装置アドレスとしている。
【００３６】
次に正アドレスの設定が行われた室外機制御装置２０が、室内機制御装置３０にアドレス設定を行う場合について説明する。
【００３７】
室内機制御装置３０は、電源投入後、まず、ステップ３０１により自己アドレスを２５４番地とし、アドレス設定を受けるまでそのまま待機する。
【００３８】
室外機制御装置２０は、ステップ２０６において集中管理装置１より正アドレスの設定を受けると、室外機制御装置２０に通信接続された室内機制御装置３０，４０にアドレス設定を行うため、スイッチ回路２４により伝送線７との通信を中断する。
【００３９】
そして、ステップ２０７にて伝送線８で接続されている全ての２５４番地の室内機制御装置３０，４０に対して、自己アドレス＝−５０番地のアドレスを送信し、ステップ２０８により、アドレス送信に対する応答があるまで待機する。この応答の待機状態を１０秒間行い（ステップ２１１）、１０秒間経過しても応答がない場合にはステップ２１２に進み、アドレス設定を終了する。
【００４０】
室内機制御装置３０は上記ステップ２０７により室外機制御装置２０から送信されたアドレス設定を受信すると、ステップ３０２による受信待機から抜けてステップ３０３に進み、アドレス設定への応答を室外機制御装置２０に送信する。そして、ステップ３０４により受信したアドレス設定のデータから自己のアドレスについて自己アドレス＝−５０番地とする。
【００４１】
室外機制御装置２０は上記ステップ３０３により室内機制御装置３０から送信されたアドレス設定への応答を受信すると、ステップ２０８による受信待機から抜けてステップ２０９に進み、伝送線８により室外機制御装置２０に接続されている全ての２５４番地の室内機制御装置４０に対して自己アドレス＝−４９番地のアドレス設定を送信し、ステップ２０９により、自己アドレス＝−４９番地のアドレス送信に対する応答があるまで待機する（ステップ２１０）。この応答の待機状態を１０秒間経過するまで行い（ステップ２１３）、１０秒間経過しても応答がない場合にはステップ２１４に進み、アドレス設定を終了する。
【００４２】
室内機制御装置４０は電源投入後、まず、ステップ４０１により自己アドレス＝２５４番地とし、ステップ４０２にてアドレス設定の受信待機を行う。ステップ２０９により室外機制御装置２０から送信されたアドレス設定コマンドを受信すると、ステップ４０２による受信待機から抜けてステップ４０３にてアドレス設定への応答を室外機制御装置２０に送信する。そして、ステップ４０４により受信したアドレス設定のデータから自己のアドレスについて自己アドレス＝−４９番地とする。
【００４３】
室外機制御装置２０は、上記ステップ４０３により室内機制御装置４０から送信されたアドレス設定への応答を受信すると、ステップ２１０による受信待機から抜ける。
【００４４】
以上では室外機制御装置２０が、室内機制御装置３０，４０のアドレス設定を行う際の動作について記載したが、伝送線８に室内機制御装置３０，４０以外の他の室内機制御装置が接続されている場合には、該室内機制御装置に関しても同様に設定アドレスを−４８，−４７，・・・と順次増加させながらアドレス設定コマンドの設定処理をアドレス２５４番地の室内機制御装置が存在しなくなるまで繰り返す。
【００４５】
また、室外機制御装置５０は室外機制御装置２０と同様に１１番地から順に自らの伝送線９に接続される室内機制御装置６０にアドレス設定を行い、伝送線９に室内機制御装置６０以外の室内機制御装置が接続されている場合においても、室外機制御装置５０が同様に接続室内機制御装置のアドレス設定を行い、集中管理装置１に接続される全ての室外機２，５及び室内機３０，４０，６０にアドレス設定がなされる。
【００４６】
本実施形態では、各室外機２，５の冷暖房能力値から室内機接続台数を算出する処理であるステップ１０３，１０４，１０５を集中管理装置１で行なったが、これらの処理を各室外機制御装置２，５で行うよう制御してもよい。
【００４７】
以上より、本実施形態１に係る空気調和機は、まず、室内機接続台数認識手段３７により、集中管理装置１のマイコン１１が、各室外機２，５に接続可能な室内機の台数を、各室外機２，５の冷暖房能力に基づいて認識し、認識した台数を室外機２，５に接続されている室内機の台数であるとして認識する。そして、各室外機制御装置２０，５０に接続される室内機制御装置３０，４０，６０のアドレス範囲を算出、決定する。次に、決定したアドレス範囲に基づいて各室外機制御装置２０，５０の本アドレスを決定し、これを設定し、本アドレスの設定された各室外機制御装置２０，５０は、設定された本アドレスに応じて自らに接続された室内機制御装置３０，４０，６０のアドレス設定を行う。
【００４８】
従って、複数の冷媒回路を備えた空気調和機においても、室外機制御装置２０，５０及び室内機制御装置３０，４０，６０のアドレスを重複させることなく自動的に設定することが可能となる。従来のように、複数の冷媒回路を備えた空気調和機における全ての室外機制御装置及び室内機制御装置のアドレス設定を手動により行うといったことがないので、アドレス設定に要する作業時間の短縮と人権費用削減が可能となる。
【００４９】
また、各アドレスの決定に、予め室外機制御装置に設定される冷暖房能力値を用いるので、この冷暖房能力値の入力作業を行うだけで、各室外機に接続可能な室内機の台数が認識できる。よって、各室外機に接続可能な室内機の台数を認識するためだけを目的として、新たにハードウェアを設置するといった必要がなくなる。
【００５０】
実施の形態２．
図５は本実施形態２に係る空気調和機の室外機制御装置２０ａ及び室内機制御装置３０ａ、４０ａの構成を示すブロック図である。
【００５１】
同図において、室外機制御装置２０ａは、上記実施形態１に係る室外機制御装置２０の構成のうち、スイッチ設定回路２３を備えていない。又、新たに直流電源回路２５及び電流センサー２６を備えている。直流電源回路２５は、伝送線８ａに直流電圧を与えるものである。電流センサー２６は、直流電源回路２５から伝送線８ａへ直流電圧がかけられた際に伝送線８ａを流れる電流値を検出する。
【００５２】
また、本実施形態２に係る空気調和機の室内機制御装置３０ａ，４０ａは、上記実施形態１に係る室内機制御装置３０の構成に加え、伝送線８ａに対して並列に接続される負荷抵抗３３を備えている。負荷抵抗３３は、空気調和機を構成する他の室内機６内に備えた室内機制御装置６０ａにも同様に備えている。
【００５３】
更に、室外機制御装置２０ａのマイコン２１ａは実施形態１における機能に加えて電流センサー２６の検出した伝送線８ａを流れる電流値を入力することにより伝送線８ａに接続されている室内機制御装置３０ａ，４０ａの台数を演算する機能を備えている。各室内機制御装置３０ａ，４０ａには負荷抵抗３３が設けられているので、各負荷抵抗３３に直流電源回路２５から発生する直流電流を流し、伝送線８ａに流れる電流値を検出することにより、伝送線８ａに接続されている室内機制御装置３０ａ，４０ａの台数を認識することが可能となる。
【００５４】
これら以外の構成に関しては、上記実施形態１と同様であるため説明を省略する。
【００５５】
次に、本実施例の動作を図６のフローチャートに沿って説明する。
図６は本実施形態２に係る集中管理装置１ａ、室外機制御装置２０ａ、室内機制御装置３０ａ及び室内機制御装置４０ａのフローチャートである。
【００５６】
同図において、ステップ１０１，１０２，２０１，２０３及び２０４によって室外機制御装置２０ａの仮アドレス設定を行う。これらの各処理は上記実施形態１と同様であるので説明を省略する。
【００５７】
室外機制御装置２０ａは、電流センサー２６によって伝送線８ａを流れる電流を検出し（ステップ２１５）、ステップ２１６により検出した電流値から伝送線８ａに接続されている室内機制御装置３０ａ，４０ａの台数を算出する。例えば、表２に記す換算表により検出した伝送線の電流値より室外機制御装置に接続されている室内機制御装置の台数を決定する。
【００５８】
【表２】
2008249269.tif 000004
【００５９】
尚、本換算表は伝送線電圧を３０Ｖ、負荷抵抗の抵抗値を３ＫΩ、抵抗誤差を±１％、電流センサー２６の検知精度を±１％、室外機１台あたりの室内機接続制約台数を２０台とした場合に適合する例である。
【００６０】
集中管理装置１ａは、ステップ１０８において伝送線７で接続されている全ての室外機制御装置２０ａに対して、自らに接続されている室内機の台数を知らせるよう指令を送信する。
【００６１】
室外機制御装置２０ａは上記ステップ１０８により集中管理装置１から送信された指令に対し、ステップ２１６において算出した接続されている室内機の台数を集中管理装置１ａに対して応答する（ステップ２１７）。
【００６２】
集中管理装置１ａは上記ステップ２１７により室外機制御装置２０ａから送信された自らの接続室外機台数を受信すると、室外機制御装置２０に接続される室内機制御装置３０ａ，４０ａのアドレス範囲を算出する（ステップ１０６）。
【００６３】
以降の処理は、上記実施の形態１と同様であるため説明を省略する。
【００６４】
本実施形態２では、ステップ１０８，２１６，２１７に対応する伝送線８ａの通電電流値から接続室内機台数を算出する処理を室外機制御装置２０ａで行なっているが、これらの処理を集中管理装置１ａで行ってもよい。
【００６５】
以上のように、構成された空気調和機においては、各室内機制御装置３０ａ，４０ａが伝送線８ａから所定の電流を通電する負荷抵抗３３を備え、この負荷抵抗３３に直流電源回路２５から直流電流を流し、この電流値を電流センサー２６により検出することにより、各室外機制御装置２０ａに接続されている室内機制御装置３０ａ，４０ａの台数を認識する。そして、この認識した室内機制御装置３０ａ，４０ａの台数が室外機ａの接続室内機台数となるのである。
【００６６】
これにより、各室外機に現に接続されている室内機の台数を正確に把握することが可能となる。よって、上記実施形態１のように、各室外機制御装置２０，５０に割り当てる室内機制御装置３０，４０，６０のアドレス範囲を最も多くの室外機が接続された場合を基準に決定しなければならない場合に比較して、少ない範囲での設定が可能である。
【００６７】
実施の形態３．
本実施形態３における空気調和機は、スイッチ設定回路に、室外機自らに接続されている室内機の台数を手動で入力する機能を備えている。これ以外構成は実施の形態１と同じであるため説明は省略する。
【００６８】
次に、本実施形態３の作用を図７のフローチャートに沿って説明する。
図７はそれぞれ集中管理装置１ｂ、室外機制御装置２０ｂ、室内機制御装置３０ｂ及び室内機制御装置４０ｂの処理を示すフローチャートである。
【００６９】
同図において、ステップ１０１、１０２、２０１、２０３、２０４によって室外機制御装置の仮アドレス設定を行う。これらの処理は上記実施の形態１と同様であるため説明は省略する。
【００７０】
室外機制御装置２０ｂは、ステップ２１８において予め手動で設定された接続室内機台数を読み込む。
【００７１】
集中管理装置１ａは、ステップ１０８において、伝送線７で接続されている全ての室外機制御装置２０ｂに対して、接続室内機台数を知らせるよう指令を送信する。
【００７２】
室外機制御装置２０ｂは、集中管理装置１ｂから送信された指令を受信すると、ステップ２１８において読み込んだ接続室内機台数を収集管理装置１ｂに対して応答する（ステップ２１７）。
【００７３】
集中管理装置１ｂは、上記ステップ２１７により室外機制御装置２０から送信された接続室内機台数を受信すると、受信した接続室内機台数に基づいて、上記実施形態１と同様に室外機制御装置２０ｂに接続される室内機制御装置３０ｂ，４０ｂのアドレス範囲を算出する。以降の処理については実施の形態１と同様である。
【００７４】
尚、本実施形態３では各室外機制御装置２０ｂで室内機の接続台数のみを設定し、室外機制御装置のアドレス割付けを集中管理装置１ｂにて行っているが、上記の割付けルールに則り室外機制御装置のアドレス設定自体を手動で行なっても良い。
【００７５】
以上のように構成された空気調和機においては、各室外機制御装置に接続されている室内機の台数を手動設定するスイッチを備えているので、現に室外機に接続されている室内機の正確な台数を認識することが可能であり、且つ、室内機上記実施形態２のように、負荷抵抗を各室内制御装置に設ける必要がなく、装置を簡略化できる。
【図面の簡単な説明】
【００７６】
【図１】本発明の一実施形態に係る空気調和機の全体構成を示す図である。
【図２】前記空気調和機の集中管理装置の構成を示すブロック図である。
【図３】前記空気調和機の室外機制御装置及び室内機制御装置の構成を示すブロック図である。
【図４】前記空気調和機の集中管理装置、室外機制御装置及び室内機制御装置のフローチャートである。の発明の実施の形態２における空気調和機の構成を示すブロック図である。
【図５】本発明の他の実施形態に係る空気調和機の室外機制御装置及び室内機制御装置の構成を示すブロック図である。
【図６】前記空気調和機の集中管理装置、室外機制御装置及び室内機制御装置のフローチャートである。
【図７】本発明の他の実施形態に係る集中管理装置、室外機制御装置及び室内機制御装置のフローチャートである。
【符号の説明】
【００７７】
１  集中管理装置
２，５  室外機
３，４，６  室内機
７，８，９  伝送線
２０，５０  室外機制御装置
２３  スイッチ設定回路
２５  直流電源回路
２６  電流センサー
３０，４０，６０  室内機制御装置
３３  負荷抵抗
３６  アドレス設定手段
３５  アドレス算出手段
３７  室内機接続台数認識手段
【図１】
2008249269.tif 000005
【図２】
2008249269.tif 000006
【図３】
2008249269.tif 000007
【図４】
2008249269.tif 000008
【図５】
2008249269.tif 000009
【図６】
2008249269.tif 000010
【図７】
2008249269.tif 000011